(57)【要約】【課題】収容凹部に対するスペーサの誤挿入を防止することができるコネクタを提供する。【解決手段】ハウジング３の端子収容室５に連通された収容凹部７に挿入されるスペーサ９と、このスペーサ９に撓み可能に設けられた係止アーム１１と、この係止アーム１１に設けられた仮係止突起１５と本係止突起１９とを備えたコネクタ１において、仮係止突起１５と本係止突起１９とを、係止アーム１１の外周面から異なる方向に向けて突設し、被仮係止部１３と被本係止部１７との係合による係止アーム１１の撓み方向を異ならせ、係止アーム１１を、本係止突起１９の係合による撓みの反発力が、仮係止突起１５の係合による撓みの反発力より大きく設定した。【選択図】図１
2017168277.tif 000002
【特許請求の範囲】
【請求項１】
ハウジングと、このハウジングに設けられた端子収容室と、前記ハウジングの一面に開口して設けられ前記端子収容室に連通された収容凹部と、この収容凹部に挿入され前記端子収容室に収容された端子を係止するスペーサと、このスペーサに撓み可能に設けられた係止アームと、この係止アームに設けられ前記収容凹部の被仮係止部と係合して前記スペーサを前記収容凹部に仮係止位置で保持する仮係止突起と、前記係止アームに設けられ前記収容凹部の被本係止部と係合して前記スペーサを前記収容凹部に本係止位置で保持する本係止突起とを備えたコネクタであって、
前記仮係止突起と前記本係止突起とは、前記係止アームの外周面から異なる方向に向けて突設され、前記被仮係止部と前記被本係止部との係合による前記係止アームの撓み方向を異ならせ、
前記係止アームは、前記本係止突起の係合による撓みの反発力が前記仮係止突起の係合による撓みの反発力より大きく設定されていることを特徴とするコネクタ。
【請求項２】
請求項１記載のコネクタであって、
前記仮係止突起と前記本係止突起とは、前記係止アームの前記収容凹部に対する前記スペーサの挿入方向の同一位置に配置され、前記係止アームの外周面からの突出高さが同一高さに設定されていることを特徴とするコネクタ。
【発明の詳細な説明】
【技術分野】
【０００１】
本発明は、コネクタに関する。詳細には、ハウジングにスペーサが挿入されるコネクタに関する。
【背景技術】
【０００２】
従来、コネクタとしては、ハウジングと、このハウジングに設けられた端子収容室と、ハウジングの一面に開口して設けられ端子収容室に連通された収容凹部と、この収容凹部に挿入され端子収容室に収容された端子を係止するスペーサと、このスペーサに撓み可能に設けられた係止アームと、この係止アームに設けられ収容凹部の被仮係止部と係合してスペーサを収容凹部に仮係止位置で保持する仮係止突起と、係止アームに設けられ収容凹部の被本係止部と係合してスペーサを前記収容凹部に本係止位置で保持する本係止突起とを備えたものが知られている（例えば、特許文献１参照）。
【０００３】
このコネクタでは、仮係止突起と本係止突起とが、係止アームの収容凹部に対するスペーサの挿入方向に対して前後方向に異なって配置され、係止アームの外周面から同一方向に向けて突設されており、被仮係止部と被本係止部との係合による係止アームの撓み方向が同一方向となっている。
【０００４】
この仮係止突起は、スペーサを収容凹部に挿入することにより、係止アームを撓ませて被仮係止部と係合してスペーサを収容凹部に対して仮係止位置で保持し、端子収容室に端子を挿入可能とする。
【０００５】
一方、本係止突起は、スペーサを収容凹部の仮係止位置からさらに収容凹部に挿入することにより、係止アームを撓ませて被本係止部と係合してスペーサを収容凹部に対して本係止位置で保持し、端子収容室からの端子の抜け止めを行う。
【先行技術文献】
【特許文献】
【０００６】
【特許文献１】特開２０１３−４５７２６号公報
【発明の概要】
【発明が解決しようとする課題】
【０００７】
しかしながら、上記特許文献１のようなコネクタでは、仮係止突起と本係止突起との係合による係止アームの撓み方向が同一であるので、スペーサを収容凹部の仮係止位置に挿入させる挿入力と、スペーサを収容凹部の仮係止位置から本係止位置に挿入させる挿入力とが大きく変わることがなかった。
【０００８】
このため、スペーサを収容凹部の仮係止位置に挿入させるときに、誤ってスペーサを収容凹部の本係止位置まで挿入させてしまう恐れがあった。
【０００９】
そこで、この発明は、収容凹部に対するスペーサの誤挿入を防止することができるコネクタの提供を目的としている。
【課題を解決するための手段】
【００１０】
請求項１記載の発明は、ハウジングと、このハウジングに設けられた端子収容室と、前記ハウジングの一面に開口して設けられ前記端子収容室に連通された収容凹部と、この収容凹部に挿入され前記端子収容室に収容された端子を係止するスペーサと、このスペーサに撓み可能に設けられた係止アームと、この係止アームに設けられ前記収容凹部の被仮係止部と係合して前記スペーサを前記収容凹部に仮係止位置で保持する仮係止突起と、前記係止アームに設けられ前記収容凹部の被本係止部と係合して前記スペーサを前記収容凹部に本係止位置で保持する本係止突起とを備えたコネクタであって、前記仮係止突起と前記本係止突起とは、前記係止アームの外周面から異なる方向に向けて突設され、前記被仮係止部と前記被本係止部との係合による前記係止アームの撓み方向を異ならせ、前記係止アームは、前記本係止突起の係合による撓みの反発力が前記仮係止突起の係合による撓みの反発力より大きく設定されていることを特徴とする。
【００１１】
このコネクタでは、仮係止突起と本係止突起とが、係止アームの外周面から異なる方向に向けて突設され、被仮係止部と被本係止部との係合による係止アームの撓み方向を異ならせるので、スペーサの収容凹部に対する仮係止位置に位置するときと本係止位置に位置するときとの係止アームの撓み方向を異ならせることができる。
【００１２】
この係止アームは、本係止突起の係合による撓みの反発力が仮係止突起の係合による撓みの反発力より大きく設定されているので、スペーサが収容凹部の仮係止位置から本係止位置に移行するときの挿入力の変化を大きくすることができ、挿入力の変化によってスペーサが収容凹部の本係止位置に位置されることを検知することができる。
【００１３】
従って、このようなコネクタでは、スペーサの収容凹部への仮係止位置と本係止位置とで挿入力の変化を大きくすることができ、収容凹部に対するスペーサの誤挿入を防止することができる。
【００１４】
請求項２記載の発明は、請求項１記載のコネクタであって、前記仮係止突起と前記本係止突起とは、前記係止アームの前記収容凹部に対する前記スペーサの挿入方向の同一位置に配置され、前記係止アームの外周面からの突出高さが同一高さに設定されていることを特徴とする。
【００１５】
このコネクタでは、仮係止突起と本係止突起とが、係止アームの収容凹部に対するスペーサの挿入方向の同一位置に配置され、係止アームの外周面からの突出高さが同一高さに設定されているので、仮係止突起と本係止突起とが係止アームから張り出す部分を集約することができ、広範囲における大型化を抑制することができる。
【発明の効果】
【００１６】
本発明によれば、収容凹部に対するスペーサの誤挿入を防止することができるコネクタを提供することができるという効果を奏する。
【図面の簡単な説明】
【００１７】
【図１】本発明の実施の形態に係るコネクタの分解斜視図である。
【図２】本発明の実施の形態に係るコネクタのスペーサが仮係止位置に位置したときの斜視図である。
【図３】（ａ）は図２の上面図である。（ｂ）は図３（ａ）のＡ−Ａ断面図である。
【図４】（ａ）は図２の正面図である。（ｂ）は図４（ａ）のＢ−Ｂ断面図である。
【図５】本発明の実施の形態に係るコネクタのスペーサが本係止位置に位置したときの斜視図である。
【図６】（ａ）は図５の上面図である。（ｂ）は図６（ａ）のＣ−Ｃ断面図である。
【図７】（ａ）は図５の正面図である。（ｂ）は図７（ａ）のＤ−Ｄ断面図である。
【発明を実施するための形態】
【００１８】
図１〜図７を用いて本発明の実施の形態に係るコネクタについて説明する。
【００１９】
本実施の形態に係るコネクタ１は、ハウジング３と、このハウジング３に設けられた端子収容室５と、ハウジング３の一面に開口して設けられ端子収容室５に連通された収容凹部７と、この収容凹部７に挿入され端子収容室５に収容された端子（不図示）を係止するスペーサ９と、このスペーサ９に撓み可能に設けられた係止アーム１１と、この係止アーム１１に設けられ収容凹部７の被仮係止部１３と係合してスペーサ９を収容凹部７に仮係止位置で保持する仮係止突起１５と、係止アーム１１に設けられ収容凹部７の被本係止部１７と係合してスペーサ９を収容凹部７に本係止位置で保持する本係止突起１９とを備えている。
【００２０】
また、仮係止突起１５と本係止突起１９とは、係止アーム１１の外周面から異なる方向に向けて突設され、被仮係止部１３と被本係止部１７との係合による係止アーム１１の撓み方向を異ならせる。
【００２１】
そして、係止アーム１１は、本係止突起１９の係合による撓みの反発力が仮係止突起１５の係合による撓みの反発力より大きく設定されている。
【００２２】
また、仮係止突起１５と本係止突起１９とは、係止アーム１１の収容凹部７に対するスペーサ９の挿入方向の同一位置に配置され、係止アーム１１の外周面からの突出高さが同一高さに設定されている。
【００２３】
図１〜図７に示すように、ハウジング３は、合成樹脂などの絶縁性材料からなり、直方体状に形成され、相手ハウジング（不図示）と嵌合可能となっている。
【００２４】
このハウジング３には、複数の端子（不図示）をそれぞれ収容する複数の端子収容室５が設けられ、相手ハウジングと嵌合することにより、相手ハウジングに収容された相手端子（不図示）と端子とが電気的に接続される。
【００２５】
複数の端子収容室５は、ハウジング３の幅方向に複数列設けられると共に、ハウジング３の高さ方向に複数段設けられている。
【００２６】
この端子収容室５の内部には、係止ランス（不図示）が撓み可能に設けられ、この係止ランスが内部に収容された端子と係合し、端子の端子収容室５からの抜け止めがなされる。
【００２７】
このような端子をそれぞれ収容する複数の端子収容室５は、ハウジング３の中央部に設けられた収容凹部７にそれぞれ連通されている。
【００２８】
収容凹部７は、ハウジング３の一面と高さ方向の反対側の他面との中央部に長方形状にそれぞれ開口し、複数の端子収容室５と連通するように複数の端子収容室５を横切り、ハウジング３の高さ方向に貫通するように設けられている。
【００２９】
なお、収容凹部７は、ハウジング３を貫通して設けなくともよく、複数の端子収容室５と連通し、ハウジング３の一面にスペーサ９を挿入可能な開口を設ければよい。
【００３０】
この収容凹部７には、ハウジング３の一面側の開口からスペーサ９が挿入され、複数の端子収容室５にそれぞれ収容された端子と係合し、端子の端子収容室５からの抜け止めが二重になされる。
【００３１】
スペーサ９は、収容凹部７に挿入可能なように、直方体状に形成され、複数の端子挿入孔２１と、複数の端子係止部２３とが設けられている。
【００３２】
複数の端子挿入孔２１は、端子が挿通可能なように、スペーサ９を貫通して設けられ、複数の端子収容室５と同数設けられている。
【００３３】
この複数の端子挿入孔２１は、収容凹部７に対してスペーサ９が仮係止位置に位置している状態で、複数の端子収容室５と一致するようにスペーサ９に設けられている。
【００３４】
このため、収容凹部７に対してスペーサ９が仮係止位置に位置している状態では、端子挿入孔２１を介して端子を端子収容室５の正規位置まで挿入することができる。
【００３５】
複数の端子係止部２３は、複数の端子挿入孔２１を高さ方向に区画する区画壁となっている。
【００３６】
この複数の端子係止部２３は、収容凹部７に対してスペーサ９が本係止位置に位置している状態で、端子収容室５に収容された端子に設けられた被係合部（不図示）に係合可能にスペーサ９に設けられている。
【００３７】
このため、収容凹部７に対してスペーサ９が本係止位置に位置している状態では、端子係止部２３が端子の被係合部に係合し、端子の端子収容室５からの抜け止めを行うことができる。
【００３８】
このようなスペーサ９の収容凹部７に対する仮係止位置と本係止位置とは、スペーサ９に設けられた係止アーム１１と、仮係止突起１５と、本係止突起１９とによって保持される。
【００３９】
係止アーム１１は、スペーサ９の長さ方向両側に一対配置され、基端がスペーサ９の高さ方向の一端と連続する一部材で形成され、自由端がスペーサ９の高さ方向の他端に位置するように片持ち状に撓み可能に設けられている。
【００４０】
この係止アーム１１は、スペーサ９の収容凹部７への挿入方向と直交する方向の幅が板厚より大きくなるように、長方形の板状に形成されている。
【００４１】
このような係止アーム１１の自由端側には、仮係止突起１５と、本係止突起１９とが設けられている。
【００４２】
仮係止突起１５は、係止アーム１１の自由端において、係止アーム１１の板厚方向の一側面に係止アーム１１の幅方向にわたって設けられ、係止アーム１１の外周面から外方である板厚方向に向けて突設されている。
【００４３】
この仮係止突起１５は、挿入方向の前側が傾斜面となっており、挿入方向の後側が収容凹部７に設けられた被仮係止部１３と係合する垂直面となっている。
【００４４】
被仮係止部１３は、収容凹部７の長さ方向両側に位置する内壁面に、仮係止突起１５の垂直面と係合可能な垂直面を有するように段差状に形成されている。
【００４５】
この被仮係止部１３は、スペーサ９を収容凹部７に挿入する際、ガイドとなり、係止アーム１１を板厚方向に向けて撓ませ、仮係止突起１５が収容凹部７の内壁面と摺動し、スペーサ９が収容凹部７の仮係止位置に位置したときに、係止アーム１１の撓みの反発力による係止アーム１１の復元によって、仮係止突起１５の垂直面が被仮係止部１３の垂直面に係合される。
【００４６】
この仮係止突起１５と被仮係止部１３との係合により、スペーサ９の収容凹部７からの抜けが防止され、収容凹部７に対するスペーサ９の仮係止位置が保持される。
【００４７】
本係止突起１９は、係止アーム１１の自由端において、仮係止突起１５とスペーサ９の収容凹部７への挿入方向と同一位置に位置され、係止アーム１１の周方向に仮係止突起１５と９０°変位した部分である係止アーム１１の幅方向の一側面に板厚方向にわたって設けられ、係止アーム１１の外周面から外方である幅方向に向けて、仮係止突起１５と突出高さが同一となるように突設されている。
【００４８】
このように本係止突起１９と仮係止突起１５とを、係止アーム１１の挿入方向の同一位置に設け、突出高さを同一とすることにより、係止アーム１１の外周面から外方に向けて張り出す仮係止突起１５と本係止突起１９とを係止アーム１１の１箇所に集約させることができ、係止アーム１１の広範囲における大型化を抑制することができる。
【００４９】
この本係止突起１９は、挿入方向の前側が傾斜面となっており、挿入方向の後側が収容凹部７に設けられた被本係止部１７の垂直面と係合する垂直面となっている。
【００５０】
被本係止部１７は、収容凹部７の幅方向一側に位置する内壁面に、本係止突起１９の傾斜面と係合可能で摺動可能な傾斜面と、本係止突起１９の垂直面と係合可能な垂直面とを有するように凸部状に形成されている。
【００５１】
この被本係止部１７には、スペーサ９を収容凹部７に挿入してスペーサ９が収容凹部７の仮係止位置に位置し、仮係止突起１５と被仮係止部１３との係合によってスペーサ９の収容凹部７からの抜け止めがなされたときに、本係止突起１９の傾斜面が被本係止部１７の傾斜面に係合される。
【００５２】
この本係止突起１９の傾斜面と被本係止部１７の傾斜面との係合により、スペーサ９が収容凹部７にさらに挿入されることを防止し、スペーサ９の収容凹部７に対する仮係止位置を保持することができる。
【００５３】
このスペーサ９の収容凹部７に対する仮係止位置からさらに強い挿入力でスペーサ９を収容凹部７に挿入することにより、本係止突起１９の傾斜面が被本係止部１７の傾斜面と摺動し、係止アーム１１を幅方向に向けて撓ませ、スペーサ９が収容凹部７の本係止位置に位置したときに、係止アーム１１の撓みの反発力による係止アーム１１の復元によって、本係止突起１９の垂直面が被本係止部１７の垂直面に係合される。
【００５４】
この本係止突起１９の垂直面と被本係止部１７の垂直面との係合により、スペーサ９の収容凹部７からの抜けが防止され、収容凹部７に対するスペーサ９の本係止位置が保持される。
【００５５】
なお、スペーサ９の収容凹部７に対する本係止位置では、係止アーム１１の基端側に設けられた規制部２５が収容凹部７の開口近傍に設けられた規制段部２７と当接し、スペーサ９の収容凹部７へのさらなる挿入が規制され、収容凹部７に対するスペーサ９の本係止位置が保持される。
【００５６】
このような仮係止突起１５と本係止突起１９とは、それぞれ係止アーム１１の板厚方向の一面側と係止アーム１１の幅方向の一面側とに配置されており、係止アーム１１の外周面からの突出方向が異なっている。
【００５７】
このため、係止アーム１１は、仮係止突起１５と被仮係止部１３との係合と、本係止突起１９と被本係止部１７との係合とでは、その撓み方向が異なる。
【００５８】
ここで、係止アームが、例えば、断面形状が正四角形や真円形のような棒状に形成されている場合、係止アームの撓み方向が異なっていたとしても、それぞれの撓み方向における係止アームが撓んだときの反発力に差を出すことができない。
【００５９】
しかしながら、係止アーム１１は、断面形状が板厚方向が幅方向より短くなる長方形となる板状に形成されているので、板厚方向に撓んだときの反発力が幅方向に撓んだときの反発力よりも小さくなる。
【００６０】
すなわち、係止アーム１１は、本係止突起１９の係合による撓みの反発力が、仮係止突起１５の係合による撓みの反発力より大きくなっている。
【００６１】
このため、スペーサ９を収容凹部７の仮係止位置から本係止位置に移行させるときには、スペーサ９を収容凹部７の仮係止位置まで挿入したときの挿入力より大きな挿入力が必要となる。
【００６２】
このスペーサ９の収容凹部７への挿入力の違いにより、スペーサ９が収容凹部７の仮係止位置から本係止位置に移行しようとしていることを検知することができ、誤ってスペーサ９を収容凹部７の本係止位置まで一気に挿入することを防止することができる。
【００６３】
このようなコネクタ１では、仮係止突起１５と本係止突起１９とが、係止アーム１１の外周面から異なる方向に向けて突設され、被仮係止部１３と被本係止部１７との係合による係止アーム１１の撓み方向を異ならせるので、スペーサ９の収容凹部７に対する仮係止位置に位置するときと本係止位置に位置するときとの係止アーム１１の撓み方向を異ならせることができる。
【００６４】
この係止アーム１１は、本係止突起１９の係合による撓みの反発力が仮係止突起１５の係合による撓みの反発力より大きく設定されているので、スペーサ９が収容凹部７の仮係止位置から本係止位置に移行するときの挿入力の変化を大きくすることができ、挿入力の変化によってスペーサ９が収容凹部７の本係止位置に位置されることを検知することができる。
【００６５】
従って、このようなコネクタ１では、スペーサ９の収容凹部７への仮係止位置と本係止位置とで挿入力の変化を大きくすることができ、収容凹部７に対するスペーサ９の誤挿入を防止することができる。
【００６６】
また、仮係止突起１５と本係止突起１９とは、係止アーム１１の収容凹部７に対するスペーサ９の挿入方向の同一位置に配置され、係止アーム１１の外周面からの突出高さが同一高さに設定されているので、仮係止突起１５と本係止突起１９とが係止アーム１１から張り出す部分を集約することができ、広範囲における大型化を抑制することができる。
【００６７】
なお、本発明の実施の形態に係るコネクタでは、係止アームの断面形状が長方形となる板状に形成されているが、これに限らず、断面形状が各辺の長さが異なる多角形や楕円形となる棒状などのように係止アームを形成してもよく、撓み方向を異ならせたときにそれぞれの撓み方向における撓みの反発力に違いが出る形状であれば、係止アームの形状はどのようなものであってもよい。
【００６８】
加えて、係止アームの形状に限らず、例えば、係止アームの基端にそれぞれの撓み方向によって撓みの反発力に違いが出るように剛性を有する部材を一体に設ける、或いは係止アームの基端の一部を異なる材質で形成するなどしてもよい。
【００６９】
この場合には、係止アームの撓み方向を異ならせる位置に、仮係止突起と本係止突起とを設ければよい。
【符号の説明】
【００７０】
１…コネクタ
３…ハウジング
５…端子収容室
７…収容凹部
９…スペーサ
１１…係止アーム
１３…被仮係止部
１５…仮係止突起
１７…被本係止部
１９…本係止突起
【図１】
2017168277.tif 000003
【図２】
2017168277.tif 000004
【図３】
2017168277.tif 000005
【図４】
2017168277.tif 000006
【図５】
2017168277.tif 000007
【図６】
2017168277.tif 000008
【図７】
2017168277.tif 000009